(57)【要約】      （修正有）【課題】フィルタに消臭、抗菌、防カビ効果を持たせることができるフィルタの洗浄処理装置を提供する。【解決手段】フィルタの洗浄処理装置は、フィルタ３を保持する保持部を有する装置本体１と、フィルタに処理液を供給してこのフィルタを洗浄する処理液供給手段としての第１のタンク１４と、第１のタンクから供給される洗浄液によって洗浄処理されたフィルタに液状光触媒を噴射塗布する光触媒供給手段としての第４のタンク１７を具備する。【選択図】図２
0003158156.tif 000002
【実用新案登録請求の範囲】
【請求項１】
通気性を有する材料によって形成されたフィルタを洗浄処理するフィルタの洗浄処理装置であって、
上記フィルタを保持する保持部を有する装置本体と、
上記フィルタに処理液を供給してこのフィルタを洗浄する処理液供給手段と、
この処理液供給手段によって洗浄処理された上記フィルタに液状光触媒を噴射塗布する光触媒供給手段と
を具備したことを特徴とするフィルタの洗浄処理装置。
【請求項２】
洗浄液によって洗浄された上記フィルタに液状光触媒を噴射塗布する前に、このフィルタを圧縮空気によって乾燥処理する気体供給手段を備えていることを特徴とする請求項１記載のフィルタの洗浄処理装置。
【請求項３】
上記処理液供給手段と上記光触媒供給手段は、上記装置本体内に設けられていることを特徴とする請求項１又は請求項２記載のフィルタの洗浄処理装置。
【請求項４】
上記気体供給手段は気体供給管を有し、この気体供給管の一端は高圧気体の供給源に接続され、中途部には上記処理液供給手段と光触媒供給手段とが接続され、他端には上記保持部に保持された上記フィルタに対向する噴射ノズルが接続されていて、
上記気体供給管に高圧気体を流すことで、上記処理液供給手段の処理液或いは上記光触媒供給手段の液状光触媒を上記気体供給管に吸引して上記噴射ノズルから上記フィルタに噴射させることを特徴とする請求項３記載のフィルタの洗浄処理装置。
【請求項５】
空気調和機に用いられるフィルタであって、
液状光触媒が塗布されたことを特徴とするフィルタ。
【考案の詳細な説明】
【技術分野】
【０００１】
この考案は空気調和機などに用いられるフィルタを洗浄処理するための洗浄処理装置に関する。
【背景技術】
【０００２】
たとえば集合住宅内などに設置された空気調和機には特許文献１に示されるようにフィルタが設けられ、このフィルタは空気調和機によって循環される室内空気を清浄化するようにしている。上記フィルタは循環空気を清浄化することで汚れたり、カビや異臭の発生を招くということがある。
【０００３】
通常、上記フィルタは合成樹脂などの繊維を編成した網部及びこの網部を保持した、同じく合成樹脂製の枠部から構成されている。そして、上記フィルタは所定期間使用されることで、上述したように汚れたり、カビや異臭が発生するということがある。
【０００４】
そこで、従来は定期的に上記フィルタを空気調和機から取り外し、洗剤などの洗浄液で洗浄して汚れを取り除くということが行なわれていた。
【先行技術文献】
【特許文献】
【０００５】
【特許文献１】特開２００５−２６２２１４号公報
【考案の概要】
【考案が解決しようとする課題】
【０００６】
しかしながら、上記フィルタを洗剤などの洗浄液で単に洗浄するだけでは、カビや異臭は除去できるものの、洗浄されたフィルタを再度使用すれば、そのフィルタにはカビや異臭が早期に発生することが避けられない。そのため、室内の清浄度を維持するためには上記フィルタの清掃を頻繁に繰り返して行なわなければならないから、その保守点検に多くの手間が掛かるということあった。
【０００７】
この考案は、フィルタにカビや異臭が発生し難くなるようフィルタを洗浄処理するためのフィルタの洗浄処理装置及びカビや異臭が発生し難い構造のフィルタを提供することにある。
【課題を解決するための手段】
【０００８】
この考案は、通気性を有する材料によって形成されたフィルタを洗浄処理するフィルタの洗浄処理装置であって、
上記フィルタを保持する保持部を有する装置本体と、
上記フィルタに処理液を供給してこのフィルタを洗浄する処理液供給手段と、
この処理液供給手段によって洗浄処理された上記フィルタに液状光触媒を噴射塗布する光触媒供給手段と
を具備したことを特徴とするフィルタの洗浄処理装置にある。
【０００９】
洗浄液によって洗浄された上記フィルタに液状光触媒を噴射塗布する前に、このフィルタを圧縮空気によって乾燥処理する気体供給手段を備えていることが好ましい。
【００１０】
上記処理液供給手段と上記光触媒供給手段は、上記装置本体内に設けられていることが好ましい。
【００１１】
上記気体供給手段は気体供給管を有し、この気体供給管の一端は高圧気体の供給源に接続され、中途部には上記処理液供給手段と光触媒供給手段とが接続され、他端には上記保持部に保持された上記フィルタに対向する噴射ノズルが接続されていて、
上記気体供給管に高圧気体を流すことで、上記処理液供給手段の処理液或いは上記光触媒供給手段の液状光触媒を上記気体供給管に吸引して上記噴射ノズルから上記フィルタに噴射させることが好ましい。
【００１２】
この考案は空気調和機に用いられるフィルタであって、
液状光触媒が塗布されたことを特徴とするフィルタにある。
【考案の効果】
【００１３】
この考案によれば、洗浄されたフィルタに液状光触媒が塗布されることで、このフィルタが光触媒の作用によって消臭、抗菌、防カビ効果を発揮するから、長期間使用しても上記フィルタにカビや異臭が発生し難くなる。
【図面の簡単な説明】
【００１４】
【図１】この考案の一実施の形態を示す洗浄処理装置の斜視図。
【図２】洗浄処理装置の内部構造を示す構成図。
【図３】制御系統のブロック図。
【考案を実施するための形態】
【００１５】
以下、この考案の一実施の形態を図面を参照しながら説明する。  
図１はこの考案のフィルタ３の洗浄処理装置の装置本体１を示す斜視図である。この装置本体１の前端部には上面及び両側面に開放した保持部２が形成されている。この保持部２には上記フィルタ３がほぼ垂直な立位状態で挿入され、その挿入位置を図１に矢印で示すように上記装置本体１の幅方向にずらすことで、上記装置本体１に内蔵された後述する洗浄処理手段４によって洗浄処理されるようになっている。上記フィルタ３は合成樹脂製の繊維を編成して形成された網部３ａ及びこの網部３ａを溶着保持した合成樹脂によって枠状に形成された枠部３ｂからなる。
【００１６】
なお、上記装置本体１の後端部にはこの装置本体１を移動させるためのハンドル５が設けられ、下面の四隅部にはキャスタ６が設けられている。
【００１７】
上記洗浄処理手段４は図２に示すように構成されている。すなわち、洗浄処理手段４は上記保持部２に保持されたフィルタ３に対向する位置に配置された噴射手段としての、たとえば流体を噴射することによって回転する回転式の噴射ノズル７を有する。この噴射ノズル７はガイド８に沿って上下方向に移動可能に支持されている。上記噴射ノズル７は上下駆動機構９によって上記ガイド８に沿って上下方向に往復駆動されるようになっている。
【００１８】
上記上下駆動機構９は、たとえば上記噴射ノズル７の上記ガイド８に支持された部分に螺合されたねじ軸（図示せず）からなり、このねじ軸はノズル駆動源１０によって回転駆動されるようになっている。このノズル駆動源１０は図３に示す制御装置１１によって作動される。それによって上記ねじ軸が回転すれば、上記噴射ノズル７が上記ガイド８に沿って上方向と下方向に往復駆動されるようになっている。
【００１９】
上記噴射ノズル７には気体供給管１２の一端が接続されている。この気体供給管１２の他端はコンプレッサなどの高圧気体供給源１３に接続されている。上記気体供給管１２の中途部には水道水などの洗浄液を貯蔵した第１のタンク１４、液状の洗剤を貯蔵した第２のタンク１５、オゾン水を貯蔵した第３のタンク１６及び液状光触媒を貯蔵した第４のタンク１７がそれぞれ第１乃至第４の開閉制御弁１８ａ〜１８ｄを有する第１乃至第４の接続管１９ａ〜１９ｄによって接続されている。
【００２０】
なお、上記第１のタンク１４、第２のタンク１５及び第３のタンク１６は処理液供給手段を構成し、上記第４のタンク１７は光触媒供給手段を構成している。
【００２１】
上記第１の接続管１９ａには、ここを流れる洗浄液を加熱するヒータ２１が設けられ、上記第３のタンク１６にはオゾン発生器２２で発生したオゾンガスが供給される。それによって、第３のタンク１６に貯蔵された液体にオゾンガスが溶解してオゾン水が生成されることになる。
【００２２】
図３に示すように、上記第１乃至第４の開閉制御弁１８ａ〜１８ｄは上記制御装置１１によって開閉制御されるようになっている。第１乃至第４の開閉制御弁１８ａ〜１８ｄの何れか（少なくとも１つ）が開放された状態で、上記高圧気体供給源１３を作動させて上記気体供給管１２に高圧空気を流せば、その流れによって開放された開閉制御弁に対応するタンク内の液体が上記気体供給管１２に吸引される。したがって、その液体は高圧気体とともに上記噴射ノズル７から上記保持部２に保持されたフィルタ３に向かって噴射される。
【００２３】
なお、上記高圧気体供給源１３、オゾン発生器２２及びヒータ２１は図３に示すように上記制御装置１１に作動が制御されるようになっている。
【００２４】
図２に示すように、上記装置本体１内の上記保持部２の下部にはドレンパン２６が設けられている。このドレンパン２６には上記フィルタ３に向かって噴射された液体が滴下する。上記ドレンパン２６には排出管２７の一端が接続され、この排出管２７の他端は排出ポンプ２８を介して排出タンク２９に連通している。
【００２５】
上記排出ポンプ２８は上記制御装置１１によって駆動が制御される。それによって、上記ドレンパン２６に滴下した液体は上記排出タンク２９に集められるようになっている。なお、排出ポンプ２８及び排出タンク２９は上記装置本体１（図２に鎖線で示す）内に設けられている。
【００２６】
つぎに、上記構成の洗浄処理装置によってフィルタ３を洗浄処理する手順を説明する。
【００２７】
まず、汚れたフィルタ３を装置本体１の保持部２に挿入したならば、高圧気体供給源１３を作動させて高圧気体を噴射ノズル７からフィルタ３に向かって噴射させると同時に、排出ポンプ２８を作動させる。
【００２８】
それによって、フィルタ３に付着した塵埃が除去されることになる。フィルタ３から除去された塵埃は排出ポンプ２８によってドレンパン２６に生じた吸引力で排出管２７を通じて排出タンク２９に吸引される。作業者は、上記保持部２に保持されたフィルタ３を、装置本体１の幅方向に沿って移動させる。このとき、上記噴射ノズル７は上下駆動機構９によってガイド８に沿って上下方向に往復駆動される。それによって、上記フィルタ３の全面２付着した塵埃を除去することができる。
【００２９】
このようにしてフィルタ３に付着した塵埃を除去したならば、第１の開閉弁１８ａと第２の開閉弁１８ｂを開放して再度、高圧気体供給源１３を作動させる。高圧気体供給源１３からの高圧気体が気体供給管１２を流れると、その流れによって開放された第１の開閉弁１８ａと第２の開閉弁１８ｂを介して第１のタンク１４と第２のタンク１５に吸引力が作用する。
【００３０】
それによって、上記気体供給管１２に上記第１のタンク１４の洗浄液と、上記第２のタンク１５の洗剤が流れ込むから、洗剤が洗浄液に混合して高圧気体とともに噴射ノズル７からフィルタ３に向かって噴射される。
【００３１】
それによって、フィルタ３は洗剤を含む洗浄液によって洗浄処理される。その際、噴射ノズル７を上下方向に駆動させるとともに、作業者がフィルタ３を保持部２の幅方向に沿って移動させれば、フィルタ３の全面を洗浄処理することができる。また、フィルタ３を洗浄処理した洗浄液は、ドレンパン２６に滴下してから排出ポンプ２８の吸引力によって排出タンク２９に集積される。
【００３２】
洗浄液によるフィルタ３の洗浄処理が終了したならば、第３の開閉制御弁１８ｃを開放した後、上記気体供給管１２に高圧気体を供給する。それによって、第３のタンク１６に収容されたオゾン水が上記気体供給管１２に吸引されて噴射ノズル７からフィルタ３に向かって噴射されるから、フィルタ３はオゾン水によって殺菌や消臭処理が行なわれる。
【００３３】
このとき、フィルタ３を保持部２の幅方向に沿って移動させることで、その全面を処理することができる。さらに、フィルタ３から滴下したオゾン水はドレンパン２６を介して排出タンク２９に回収される。
【００３４】
オゾン水によるフィルタ３の処理が終了したならば、全ての開閉制御弁１８ａ〜１８ｄを閉じた状態として高圧気体供給源１３を作動させる。それによって、噴射ノズル７からフィルタ３に向かって高圧気体が噴射されるから、フィルタ３に付着したオゾン水が除去されることになる。つまり、フィルタ３が乾燥処理される。
【００３５】
フィルタ３を乾燥処理したならば、第４の開閉制御弁１８ｄを開放して上記気体供給管１２に高圧気体を供給する。それによって、第４のタンク１７に収容された液状光触媒が上記気体供給管１２に吸引されて噴射ノズル７からフィルタ３に向かって噴射される。それによって、上記フィルタ３には液状光触媒が塗布されることになる。
【００３６】
そのとき、噴射ノズル７を上下方向に往復駆動させるとともに、フィルタ３を保持部２の幅方向に沿って移動させれば、フィルタ３の全面に液状光触媒を塗布することができる。そして、フィルタ３に塗布された液状光触媒は時間の経過によって固化してフィルタ３から脱落不能な状態に固着する。
【００３７】
このようにして液状光触媒が塗布されたフィルタ３によれば、このフィルタ３に付着した悪臭物質やカビなどの細菌類は、上記フィルタ３、つまり光触媒に紫外線を照射することで分解することができる。したがって、上記フィルタ３は消臭、抗菌、防カビ効果を発揮することになる。
【００３８】
しかも、フィルタ３に塗布された光触媒による消臭、抗菌、防カビ効果はオゾン水に比べて持続性が高いから、上記フィルタ３は長期にわたって消臭、抗菌、防カビ効果を維持することができる。
【００３９】
既存の空気調和機に使用されているフィルタ３であっても、上記構成の洗浄処理装置を用いることで、フィルタ３に光触媒を塗布して消臭、抗菌、防カビ効果を備えさせることができるため、非常に便利である。
【００４０】
なお、光触媒が塗布されたフィルタ３に紫外線を照射する手段は、フィルタ３を空気調和機から取り外して図示しない紫外線照射装置で行なったり、既存の空気調和機の内部に、フィルタ３を照射できるよう紫外線ランプを設置することが可能であれば、そのようにしてもよい。
【００４１】
上記一実施の形態ではフィルタを洗剤が混合された洗浄液で洗浄した後、オゾン水で洗浄するようにしたが、フィルタを洗浄液で洗浄した後、高圧気体で乾燥処理したならば、オゾン水による洗浄を行なわずに、液状光触媒を塗布するようにしてもよい。
【符号の説明】
【００４２】
１…装置本体、２…保持部、３…フィルタ、４…洗浄手段、７…噴射ノズル、１１…制御装置、１２…気体供給管、１３…高圧気体供給源、１４ａ…第１のタンク、１４ｂ…第２のタンク、１４ｃ…第３のタンク、１４ｄ…第４のタンク、１８ａ…第１の開閉制御弁、１８ｂ…第２の開閉制御弁、１８ｃ…第３の開閉制御弁、１８ｄ…第４の開閉制御弁。
【図１】
0003158156.tif 000003
【図２】
0003158156.tif 000004
【図３】
0003158156.tif 000005